(57)【要約】【課題】防護シートから展開維持部材を抜くだけで、防護シートをケーブルの外周部に巻き付けることができ、水中において大水深部であっても防護管の取り付け作業や防護管の補修作業がより簡単に行えるケーブル防護装置を提供する。【解決手段】ケーブル防護装置１は、ケーブル５０の外周部に配置されてケーブル５０を防護するためのケーブル防護装置であって、ケーブル５０をロール状に巻き付ける防護シート２と、防護シート２に対して抜挿可能に挿入して防護シート２を展開した状態に維持させる展開維持部材３とを備える。【選択図】図２
2010187494.tif 000002
【特許請求の範囲】
【請求項１】
ケーブルの外周に配置されて前記ケーブルを防護するためのケーブル防護装置であって、
前記ケーブルにロール状に巻き付くことが可能な防護シートと、
前記防護シートを展開した状態に維持させる展開維持部材と、
を備えることを特徴とするケーブル防護装置。
【請求項２】
前記防護シートは、前記ケーブルに対してロール状に巻き付く樹脂製シートであり、
前記防護シートは、前記ケーブルに対してロール状に巻き付けた状態で大口径部を形成する第１端部と、小口径部を形成する第２端部と、を有することを特徴とする請求項１に記載のケーブル防護装置。
【請求項３】
前記防護シートの前記第１端部の内面には、第１凸部が形成され、前記防護シートの前記第２端部の外面には、前記ケーブルに沿って配置された隣の前記防護シートの前記第１凸部が噛合う第２凸部が形成されていることを特徴とする請求項２に記載のケーブル防護装置。
【請求項４】
前記展開維持部材は、棒状部材であり、前記展開維持部材を通す案内穴部が前記防護シートに形成されていることを特徴とする請求項１〜請求項３のいずれか１つの項に記載のケーブル防護装置。
【請求項５】
複数の前記案内穴部は、前記防護シートにより防護する前記ケーブルの長手方向と直交する方向に沿って平行に間隔をおいて形成されていることを特徴とする請求項４に記載のケーブル防護装置。
【請求項６】
前記展開維持部材は、ボルト部分と、前記ボルト部分の一端部に設けられて前記展開維持部材を回転操作する際に把持される把持部分と、を有することを特徴とする請求項４または請求項５に記載のケーブル防護装置。
【発明の詳細な説明】
【技術分野】
【０００１】
本発明は、ケーブル防護装置に関し、特にケーブルの外周部にシートをロール状に巻き付けることでケーブルを防護するケーブル防護装置に関する。
【背景技術】
【０００２】
例えば、海底ケーブルに錨や船体等が接触してケーブルを損傷してしまうことを防ぐためにケーブルを防護管で保護することがある。通常の防護管は、一方のシェルと他方のシェルからなる二つ割り構造になっており、一方のシェルと他方のシェルは、海底ケーブルを覆った後にボルトを用いて固定される構造になっている。
また、一方のシェルと他方のシェルとしては、一方のシェルのフックを他方のシェルの軸体に対してクランプして、これらシェルをボルトで固定できるものが提案されている（例えば、特許文献１参照）。
【先行技術文献】
【特許文献】
【０００３】
【特許文献１】特開平８−１９６０１１号公報
【発明の概要】
【発明が解決しようとする課題】
【０００４】
ところが、上述した従来技術では、海底ケーブルに対して防護管を海中で取り付けようとする場合に、一方のシェルと他方のシェルを海底ケーブルに配置してボルトで一方のシェルと他方のシェルを固定する作業を行う必要がある。この海中での固定作業は、潜水士が手作業で行っているので、潜水士が作業不可能な大水深部では、特殊潜水でも防護管の取り付け作業や防護管の補修作業ができない。
したがって、潜水士ではなくリモートコントロールで操縦される操作ビークルなどでも防護管の取り付け作業や防護管の補修作業を可能とし、大水深部でもケーブルを保護できるようにすることが望まれている。
そこで、本発明は上記課題を解消するために、防護管の取り付け作業や防護管の補修作業がより簡単に行えるケーブル防護装置を提供することを目的とする。
【課題を解決するための手段】
【０００５】
上記課題を解消するために、本発明のケーブル防護装置は、ケーブルの外周に配置されて前記ケーブルを防護するためのケーブル防護装置であって、前記ケーブルにロール状に巻き付くことが可能な防護シートと、前記防護シートを展開した状態に維持させる展開維持部材と、を備えることを特徴とする。
【０００６】
本発明のケーブル防護装置では、前記防護シートは、前記ケーブルに対してロール状に巻き付く樹脂製シートであり、前記防護シートは、前記ケーブルに対してロール状に巻き付けた状態で大口径部を形成する第１端部と、小口径部を形成する第２端部と、を有することを特徴とする。
本発明のケーブル防護装置では、前記防護シートの前記第１端部の内面には、第１凸部が形成され、前記防護シートの前記第２端部の外面には、前記ケーブルに沿って配置された隣の前記防護シートの前記第１凸部が噛合う第２凸部が形成されていることを特徴とする。
本発明のケーブル防護装置では、前記展開維持部材は、棒状部材であり、前記展開維持部材を通す案内穴部が前記防護シートに形成されていることを特徴とする。
【０００７】
本発明のケーブル防護装置では、複数の前記案内穴部は、前記防護シートにより防護する前記ケーブルの長手方向と直交する方向に沿って平行に間隔をおいて形成されていることを特徴とする。
本発明のケーブル防護装置では、前記展開維持部材は、ボルト部分と、前記ボルト部分の一端部に設けられて前記展開維持部材を回転操作する際に把持される把持部分と、を有することを特徴とする。
【発明の効果】
【０００８】
本発明によれば、潜水士が作業不可能な大水深部であっても防護シートから展開維持部材を抜くだけで、防護シートをケーブルの外周部に巻き付けることができ、水中において大水深部であっても防護管の取り付け作業や防護管の補修作業がより簡単に行えるケーブル防護装置を提供できる。
【図面の簡単な説明】
【０００９】
【図１】本発明のケーブル防護装置の防護シートの好ましい実施形態を示す斜視図である。
【図２】図１に示すケーブル防護装置の防護シートから展開維持部材を取り除く過程を示す斜視図である。
【図３】防護シートを展開して防護シートの内面側を示す平面図である。
【図４】ＲＯＶと１つのケーブル防護装置および海底ケーブルを示す斜視図である。
【図５】海底ケーブルに対して展開された状態の防護シートの防護および補修が必要な箇所を配置させた状態を示す斜視図である。
【図６】防護シートが海底ケーブルの防護および補修が必要な箇所に対してロール状に巻き付けられた状態を示す斜視図である。
【図７】複数の防護シートが、海底ケーブルの防護および補修が必要な箇所に対して連続してロール状に巻き付けられている例を示す側面図である。
【図８】図７に示す複数の防護シートの相互の連結状態の例を示す断面図である。
【発明を実施するための形態】
【００１０】
以下、図面を参照して、本発明の好ましい実施形態を詳細に説明する。  
図１は、本発明の実施形態のケーブル防護装置を構成する防護シートを示す斜視図である。図２は、図１に示すケーブル防護装置の防護シートから展開維持部材を取り除く過程を示す斜視図である。図３は、強制的に展開した防護シートの内面側を示す平面図である。
図２に示すケーブル防護装置１は、図１〜図３に示す防護シート２と、図２に示す展開維持部材３を備えている。
【００１１】
ケーブル防護装置１の防護シート２は、ケーブル、例えば海底ケーブルの外周部に対して被せるように配置されて海底ケーブルを防護するのに用いられる。
まず、図１〜図３を参照して、防護シート２の構造について説明する。防護シート２は、可撓性を有しており耐水性に優れており防護シート２の自己の復帰力によりロール状に巻き付く性質を有する材質、例えば合成樹脂で形成されたシートである。防護シート２は、図１と図２に示すように、一周以上ロール状に巻き付き側部が重なる幅を有し、ケーブル防護管の役割を果たす。
図３に示すように、防護シート２は、第１端部４と、第２端部５と、第１端部４と第２端部５の間に形成された中間部６を有している。第１端部４と中間部６と第２端部５は、中心軸ＣＬに沿って形成されている。
図１に示すように、防護シート２の第１端部４は、海底ケーブルに対してロール状に巻き付けた状態でラッパ状に広がる大口径部２０を形成する部分であり、防護シート２の第２端部５は、海底ケーブルに対してロール状に巻き付けた状態で小口径部２１を形成する部分である。
【００１２】
図３に示すように、防護シート２の第１端部４は、外縁部７と、側面縁８，９を有しており、第１端部４はほぼ扇形に形成されている。外縁部７は円弧状に形成されており、側面縁８，９は、それぞれ中心軸ＣＬに平行な直線Ｌに対して角度θだけ外側方向Ｄに沿って傾斜して形成されている。第１端部４の内面１０側には、例えば３本の第１凸部１１が同じ間隔をおいて、しかも円弧状の外縁部７に対して平行になるように形成されている。これらの第１凸部１１は、例えば矩形状の断面を有している。第１凸部１１の間には、第１凹部１１Ｒが形成されている。
【００１３】
図３に示すように、防護シート２の第２端部５は、外縁部１２と、側面縁１３，１４を有している。外縁部１２は、中心軸ＣＬに対して直交する方向に形成されており、側面縁１３，１４は、中心軸ＣＬに対して平行に形成されている。第２端部５の側面縁１３，１４の間隔Ｓ１は、第１端部４の側面縁８，９の最大間隔Ｓ２と最小間隔Ｓ３に比べて小さく設定されている。第２端部４の外面１６側には、例えば３本の第２凸部１５が同じ間隔をおいて、しかも第２凸部１５の間には、第２凹部１５Ｒが形成されている。
【００１４】
図３に示すように、防護シート２の中間部６は、第１端部４に連続している第１部分２２と第２端部５に連続している第２部分２３と、側面縁２４，２５を有している。第１部分２２の幅は、第２部分２３の幅に比べて大きく、側面縁２４，２５は、第２部分２３から第１部分２２に向けて少しずつ広がるように形成されている。
【００１５】
また、図２と図３に示すように、中間部６は、展開維持部材３を通すための案内穴部３０，３１，３２を有している。これらの案内穴部３０，３１，３２は、中間部６の範囲内で、間隔をおいて、しかも中心軸ＣＬに対して直交する方向に沿って平行に形成されている。図示例では、３本の案内穴部３０，３１，３２が形成されているが、案内穴部３０は第１部分２２に形成され、案内穴部３２は第２部分２３に形成され、そして中央の案内穴部３１は第１部分２２と第２部分２３のほぼ中間位置に形成されている。
【００１６】
次に、図２に示す展開維持部材３について説明する。
展開維持部材３は、上述した３本の案内穴部３０，３１，３２の内のいずれか１本もしくは２本以上に通すことで、防護シート２を展開して維持するための例えば金属製の棒状部材である。図２に示す例では、展開維持部材３は、長いボルト部分３３と把持部３４を有している、長いボルト部分３３には、ほぼ全長に渡って雄ねじ３５が形成されている。
把持部３４は、長いボルト部分３３の端部に設けられている。この雄ねじ３５を形成しているので、展開維持部材３を回転方向Ｒに回転させることで、展開維持部材３は案内穴部３０，３１，３２に対して容易に挿入することができる。逆に、展開維持部材３を回転方向Ｒ１に回転させることで、展開維持部材３は案内穴部３０，３１，３２から容易に抜き出すことができる。
【００１７】
この把持部３４は、図２に示す例ではＲＯＶ（Ｒｅｍｏｔｅ  Ｏｐｅｒａｔｅｄ  Ｖｅｈｉｃｌｅ：有索無人潜水機）のマニュピレータ４０により把持される部分である。展開維持部材３は、マニュピレータ４０の操作により、回転方向Ｒに回転させることで案内穴部３０，３１，３２の内の例えば案内穴部３１に対してＴ方向に挿入したり、逆方向の回転方向Ｒ１に回転させることで案内穴部３１から逆のＴ１方向に抜いたりすることができる。
【００１８】
次に、図４〜図６を参照しながら、ケーブル防護装置１の防護シート２を、海底ケーブル５０の外周部にロール状に巻き付ける作業例を説明する。
図４は、ＲＯＶ４１と１つのケーブル防護装置１および海底ケーブル５０を示す斜視図であり、海底ケーブル５０は海底５１に配置されている。ＲＯＶ４１は、遠隔操作による水中探査機であり、遠隔操作水中探査機とも呼ばれる。ＲＯＶ４１は水中カメラを備えており、動力を母船から有線で供給する形式の物と、内部の蓄電池から電力を供給して情報だけを有線でやり取りする形式の物がある。
【００１９】
図５は、海底ケーブル５０の防護および補修が必要な箇所６３と、展開維持部材３により強制的に展開された状態の防護シート２を示す斜視図である。図６は、防護シート２が海底ケーブル５０の防護および補修が必要な箇所６３に対して、防護シート２の自己の復帰力によりロール状に巻き付けられた状態を示す斜視図である。
【００２０】
図５に示すような展開された状態の防護シート２は、予め地上において防護シート２の例えば中央の案内穴部３１に対して展開維持部材３を通しておくことで形成することができる。
あるいは、マニュピレータ４０が、海底において防護シート２の例えば中央の案内穴部３１に対して展開維持部材３を回転方向Ｒに回転して通すことで強制的に展開した状態の防護シート２を得ることができる。
【００２１】
図４に示すように、ＲＯＶ４１が海底ケーブル５０の防護および補修が必要な箇所６３に接近して、ＲＯＶ４１のマニュピレータ４０が、展開された状態の防護シート２を、防護および補修が必要な箇所６３の下側位置に配置させる。この場合には、展開された状態の防護シート２は、防護および補修が必要な箇所６３の下部に通して防護および補修が必要な箇所６３を受けるようにして配置させる。防護シート２は展開維持部材３により強制的に展開された状態であるので、防護シート２は海底ケーブル５０の防護および補修が必要な箇所６３に対して簡単しかも確実に配置することができる。
【００２２】
次に、ＲＯＶ４１のマニュピレータ４０が、図５と図４に示す展開された状態の防護シート２から展開維持部材３を抜き取る。このように展開された状態の防護シート２から展開維持部材３を抜き取る場合には、図５に示すようにマニュピレータ４０が、海底において展開維持部材３を回転方向Ｒ１に回転することで防護シート２の案内穴部３１から抜き取りことができる。
【００２３】
展開維持部材３を抜き取りことにより、展開された状態の防護シート２は、図６に示すように海底ケーブル５０の防護および補修が必要な箇所６３に対して、自己の復帰力によりロール状に巻き付く。図６に示すように、ロール状に巻き付いた防護シート２には重なり部分６６が形成されることにより、防護シート２は海底ケーブル５０の防護および補修が必要な箇所６３から外れない。
【００２４】
図７は、複数の防護シート２が、海底ケーブル５０の防護および補修が必要な箇所６３に対して連続してロール状に巻き付けられている例を示しており、図８は、図７に示す複数の防護シート２の相互の連結状態の例を示す断面図である。
海底ケーブル５０の防護および補修が必要な箇所６３の長さに応じて、複数の防護シート２を相互に連結して配置する必要がある。
【００２５】
一方の防護シート２（区別のために２Ｆで示す）が先に海底ケーブル５０の防護および補修が必要な箇所６３に巻き付けられた後に、他方の防護シート２（区別のために２Ｓで示す）が後に海底ケーブル５０の防護および補修が必要な箇所６３に巻き付けられる。
【００２６】
このように、隣接する防護シート２Ｆ、２Ｓがロール状に巻き付けられた状態では、図８に示すように防護シート２Ｓの第１端部４の第１凸部１１が、防護シート２Ｆの第２端部５の第２凸部１５と相互に噛み合う。これにより、隣接する防護シート２Ｆ、２Ｓは、海底ケーブル５０の防護および補修が必要な箇所６３に対して相互に位置ずれすることなく、防護および補修が必要な箇所６３の外周面を防護することができる。図７と図８では、隣接する２本の防護シート２Ｆ、２Ｓを例に挙げているが、これに限らず３本以上の防護シートを海底ケーブルに対して配置することができる。
【００２７】
本発明のケーブル防護装置は、ケーブルの外周に配置されてケーブルを防護するためのケーブル防護装置であって、ケーブルにロール状に巻き付くことが可能な防護シートと、防護シートを展開した状態に維持させる展開維持部材と、を備える。これにより、防護シートから展開維持部材を抜けば防護シートをケーブルに対して巻き付けて覆うことができるので、潜水士が作業できる深さの水中だけではなく、潜水士が作業不可能な大水深部であっても防護管の取り付け作業や防護管の補修作業が行える。
【００２８】
防護シートは、ケーブルに対してロール状に巻き付く樹脂製シートであり、防護シートは、ケーブルに対してロール状に巻き付けた状態で大口径部を形成する第１端部と、小口径部を形成する第２端部と、を有する。これにより、ケーブルに対して複数の防護シートを配置する場合に、隣接する防護シートの第１端部内に第２端部を配置することができる。
防護シートの第１端部の内面には、第１凸部が形成され、防護シートの第２端部の外面には、ケーブルに沿って配置された隣の防護シートの第１凸部が噛合う第２凸部が形成されている。これにより、隣接する防護シートが相互にずれることなく連続して接続することができる。
【００２９】
展開維持部材は、棒状部材であり、展開維持部材を通す案内穴部が防護シートに形成されている。これにより、展開維持部材は、防護シートの案内穴部に抜挿するだけで、防護シートを強制的に展開し、あるいは防護シートを自己の復帰力によりロール状に戻すことができる。
複数の案内穴部は、防護シートにより防護するケーブルの長手方向と直交する方向に沿って平行に間隔をおいて形成されている。これにより、展開維持部材は、複数の案内穴部のうちの任意の案内穴部に通して防護シートを強制的に展開できる。
【００３０】
展開維持部材は、ボルト部分と、ボルト部分の一端部に設けられて展開維持部材を回転操作する際に把持される把持部分と、を有する。これにより、把持部分を把持して回転するだけで、展開維持部材は容易に防護シートの案内穴部に抜挿することができる。
【００３１】
ところで、本発明は、上記実施形態に限定されず種々の変形例を採用できる。
例えば、防護シートの形状は、図示例に限らず任意の形状を採用できる。展開維持部材は、雄ねじを有する棒状部材の他に雄ねじが形成されていない棒状部材であっても良い。防護シートの案内穴部の数は、３本に限らず１または２あるいは４以上設けても良い。
展開維持部材は、防護シートを展開状態に維持できれば良く、展開維持部材は防護シートの案内穴部に通さないで防護シートの両側の側面縁を把持して防護シートを展開できるようにしても良い。
【符号の説明】
【００３２】
１        ケーブル防護装置
２        防護シート
３        展開維持部材
４        防護シートの第１端部
５        防護シートの第２端部
６        防護シートの中間部
２０      大口径部
２１      小口径部
ＣＬ      中心軸
３０，３１，３２    案内穴部
３３      長いボルト部分
３４      把持部
４０      マニュピレータ
４１      ＲＯＶ
５０      海底ケーブル（ケーブルの一例）
６３      海底ケーブルの防護および補修が必要な箇所
１１      第１端部の第１凸部
１５      第２端部の第２凸部
【図１】
2010187494.tif 000003
【図２】
2010187494.tif 000004
【図３】
2010187494.tif 000005
【図４】
2010187494.tif 000006
【図５】
2010187494.tif 000007
【図６】
2010187494.tif 000008
【図７】
2010187494.tif 000009
【図８】
2010187494.tif 000010